(57)【要約】【課題】略円柱形状の加振源が有する凹部を利用して、加振源に不要な応力を与えることなくかつ簡単な構造で加振源を確実に保持固定し、加振源の配線が断線する等の不安を解消することができる加振源の保持構造、収納ケース、演出ボタン、及び遊技機を提供すること。【解決手段】この保持構造は、略円柱形状のケース体２５ａと底面部２５ｆに形成されたカシメ痕２５ｇとを有し、かつ遊技盤面６上で表現される所定遊技に関連して遊技者が操作を行う演出ボタンユニット２７に対して振動を加える振動モータ２５を保持する保持構造であって、ケース体２５ａの円柱側面部２５ｄを保持して振動モータ２５のＸＹ方向移動を規制する内部側壁２６ｂと、底面部２５ｆを保持して振動モータ２５のＺ方向移動を規制する内部底壁２６ｃと、カシメ痕２５ｇに係合して振動モータ２５のθ方向移動を規制するための係合凸部２６ｄと、を有している。【選択図】  図３
2007075331.tif 000002
【特許請求の範囲】
【請求項１】
略円柱形状のケース体と少なくとも一方の底面部に形成された凹部とを有し、かつ遊技
盤面上で表現される所定遊技に関連して遊技者が操作を行う操作ユニットに対して振動を
加える加振源を保持する保持構造であって、
前記ケース体の円柱側面部を保持して前記加振源の前記底面部を含む平面に沿った方向
の移動を規制する側面規制部と、
前記ケース体の少なくとも前記一方の底面部又は他方の底面部のいずれかを保持して前
記加振源の前記底面部を含む平面に垂直な方向の移動を規制する底面規制部と、
前記加振源の前記凹部に係合して前記加振源の前記底面部を含む平面内における回転移
動を規制するための係合凸部と、を有することを特徴とする加振源の保持構造。
【請求項２】
前記操作ユニットは、前記遊技盤面内の可動部材又は前記遊技盤面内の遊技表示を制御
することにより、前記遊技盤面上で表現される所定遊技に演出を加える演出ボタンを含む
演出ボタンユニットであることを特徴とする請求項１に記載の加振源の保持構造。
【請求項３】
前記加振源が、偏心軸の回転により振動を発生する振動モータであることを特徴とする
請求項１又は請求項２に記載の加振源の保持構造。
【請求項４】
前記係合凸部は、前記加振源を収納する収納ケースに設けられていることを特徴とする
請求項１から請求項３のうちいずれか１項に記載の加振源の保持構造。
【請求項５】
略円柱形状のケース体と少なくとも一方の底面部に形成された凹部とを有し、かつ遊技
盤面上で表現される所定遊技に関連して遊技者が操作を行う操作ユニットに対して振動を
加える加振源を収納するとともに前記操作ユニットに取り付けられる収納ケースであって
、
前記ケース体の円柱側面部を保持して前記加振源の前記底面部を含む平面に沿った方向
の移動を規制する側面規制部と、
前記ケース体の少なくとも前記一方の底面部又は他方の底面部のいずれかを保持して前
記加振源の前記底面部を含む平面に垂直な方向の移動を規制する底面規制部と、
前記加振源の前記凹部に係合して前記加振源の前記底面部を含む平面内における回転移
動を規制するための係合凸部と、を有することを特徴とする収納ケース。
【請求項６】
前記側面規制部が、略正方形断面の内壁を有することを特徴とする請求項５に記載の収
納ケース。
【請求項７】
遊技盤面上で表現される所定遊技に演出を加えるために、遊技機に取り付けられて遊技
者が操作する演出ボタンと、
該演出ボタンの前記遊技機への取付状態において不可視となる位置に取り付けられ、略
円柱形状のケース体と少なくとも一方の底面部に形成された凹部とを有するとともに該演
出ボタンを加振する加振源と、
前記ケース体の円柱側面部を保持して前記加振源の前記底面部を含む平面に沿った方向
の移動を規制する側面規制部、
前記ケース体の少なくとも前記一方の底面部又は他方の底面部のいずれかを保持して前
記加振源の前記底面部を含む平面に垂直な方向の移動を規制する底面規制部、及び、
前記加振源の前記凹部に係合して前記加振源の前記底面部を含む平面内における回転移
動を規制するための係合凸部を有する収納ケースと、を有することを特徴とする演出ボタ
ンユニット。
【請求項８】
筐体に取り付けられる機枠と、
該機枠内に構成され、遊技者に対して所定遊技を表現する遊技盤面と、
該遊技盤面の周囲を装飾し、該遊技盤面を前記遊技者にとって視認可能とするとともに
該遊技者の該遊技盤面への侵入を防止する装飾枠体と、
有価価値を有する遊技媒体を前記所定遊技に基づいて払い出す機構盤と、
払い出された前記遊技媒体を貯留する貯留皿と、
請求項５に記載の収納ケースが取り付けられ、前記遊技盤面上で表現される所定遊技に
関連して前記遊技者が操作を行う操作ユニットと、を有することを特徴とする遊技機。
【発明の詳細な説明】
【技術分野】
【０００１】
本発明は、加振源の保持構造、収納ケース、演出ボタンユニット及びそれらを適用した
遊技機に係り、特に、遊技に関連して遊技者が操作する演出ボタンや発射ハンドル等の操
作ユニットに加振源を取り付ける構造、その際に加振源を収納する収納ケース等に関する
。本発明は、パチンコ機、スロット機、その他の各種遊技機に適用可能である。
【背景技術】
【０００２】
遊技機には遊技に関連して遊技者が使用する各種操作部が設けられている。例えばパチ
ンコ機には、遊技盤面に遊技媒体としての球を発射する球発射ハンドル、球発射を一時的
に停止させる停止スイッチ、球貸し操作のための球貸しボタン、球貸し用のカードを返却
させるためのカード返却ボタン、上皿の球を下皿へ排出するための球抜きレバー、下皿の
球をドル箱へ排出するための球抜きレバー等が設けられている。スロット機には、遊技媒
体としてのコインを機内に投入した後に図柄回転を開始させるスロットハンドル、回転図
柄を所望の図柄で停止させるための図柄停止ボタン等が設けられている。
【０００３】
近年では、遊技に演出を加えるための演出ボタンが遊技機に設けられている場合もある
。この演出ボタンには、例えば遊技盤面上での表示内容に作用してその表示を変更させた
り、遊技盤面上の可動部材を移動又は変化させて遊技盤面上の遊技媒体の動作に直接変化
を与えたりするものがある。この演出ボタンの操作により遊技内容に多様性が生じ、さら
に面白味が加わって遊技内容の盛り上がりが増すこととなる。
【０００４】
この演出ボタンを加振して、より一層演出効果を増大させるものがある。このものによ
れば、演出ボタンのユニットの一部又は演出ボタンの近傍に例えば振動モータ等の加振源
が配置され、所定の遊技状態の際に加振源が駆動されて演出ボタンユニットに振動が加え
られる。演出ボタンを操作している遊技者にその振動が伝わって、遊技者はより一層面白
味や盛り上がりを感じることができるようになっている。
【０００５】
なお、遊技盤の可動装飾物を動作させる操作手段としての演出ボタンの従来例として、
例えば特許文献１に開示されるものがある。
【特許文献１】特開２００４−１５４５３２号公報
【発明の開示】
【発明が解決しようとする課題】
【０００６】
しかしながら、加振源はその保持を強固に行わないと加振源自身の振動により使用中に
加振源の取付位置が徐々にずれていってしまうという問題がある。そして、その取付けが
緩んでしまったり、外れてしまったりする場合があり、又それによって振動が過剰となっ
て加振源自身や周囲の部品を破損してしまう場合もある。
【０００７】
特に、加振源の外形形状が円柱形状の場合は円柱側面の保持が困難であり、強固に保持
しないと振動によって円柱の中心軸周りに加振源が回転移動してしまう。そうすると、加
振源からの配線が捩れたり絡まったりして断線原因となり得る。回転移動を防止するため
に円柱側面を過大に強固に保持すると、加振源に不要な応力を与えてしまい、加振源の動
作不良や耐久性低下等の原因となり得る。
【０００８】
本発明は上記の事情に鑑みてなされたもので、略円柱形状の加振源に形成された凹部を
利用して、加振源に不要な応力を与えることなくかつ簡単な構造で加振源を確実に保持固
定し、加振源の配線が断線する等の不安を解消することができる加振源の保持構造、収納
ケース、演出ボタン、及び遊技機を提供することを例示的課題とする。
【課題を解決するための手段】
【０００９】
上記の課題を解決するために、本発明の例示的側面としての加振源の保持構造は、略円
柱形状のケース体と少なくとも一方の底面部に形成された凹部とを有し、かつ遊技盤面上
で表現される所定遊技に関連して遊技者が操作を行う操作ユニットに対して振動を加える
加振源を保持する保持構造であって、ケース体の円柱側面部を保持して加振源の底面部を
含む平面に沿った方向の移動を規制する側面規制部と、ケース体の少なくとも前記一方の
底面部又は他方の底面部のいずれかを保持して加振源の底面部を含む平面に垂直な方向の
移動を規制する底面規制部と、加振源の凹部に係合して加振源の底面部を含む平面内にお
ける回転移動を規制するための係合凸部と、を有することを特徴とする。
【００１０】
側面規制部及び底面規制部によってケース体の円柱側面部及び底面部を保持するととも
に係合凸部が加振源の凹部に係合するので、保持に際して加振源に不要な応力を与えるこ
とがない。したがって、保持により加振源が動作不良を生じたりその耐久性が低下したり
することがない。また、加振源を確実に保持することができるので、加振源が自身の振動
で移動してしまうことがなく、加振源の配線が捩れたり絡まったりして断線してしまうこ
ともない。加振源の製造時にケース体の底面に形成されたカシメ痕を凹部として利用すれ
ば、わざわざ係合凸部と係合するための凹部を設ける必要もなく、低コストかつ簡易に加
振源の保持が可能となる。
【００１１】
操作ユニットは、遊技盤面内の可動部材又は遊技盤面内の遊技表示を制御することによ
り、遊技盤面上で表現される所定遊技に演出を加える演出ボタンを含む演出ボタンユニッ
トであってもよい。遊技機の演出ボタンにこの加振源の保持構造を適用することにより、
演出ボタンに対して振動を加える加振源を低コスト、簡易、かつ確実に保持することがで
きる。保持に起因して加振源の動作不良、耐久性低下、配線の断線等を生じないので、演
出ボタン、ひいては演出ボタンにより演出が行われる遊技機の低コスト化、信頼性向上に
寄与することができる。
【００１２】
加振源が、偏心軸の回転により振動を発生する振動モータであってもよい。振動モータ
により操作ユニットを加振するので、簡単な構造で確実に加振を行うことができる。係合
凸部が振動モータの凹部に係合してその回転移動を規制するので、偏心軸が回転しても振
動モータ自体が回転移動することがない。
【００１３】
係合凸部は、加振源を収納する収納ケースに設けられていてもよい。係合凸部が収納ケ
ースに設けられているので、加振源の回転移動を規制する規制部材を別途わざわざ設ける
必要がない。加振源を収納ケースに収納するだけで振動による加振源の回転移動を規制す
ることができる。収納ケースに、さらに側面規制部と底面規制部とが設けられていれば、
加振源を収納ケースに収納するだけで、加振源を簡易かつ確実に保持することができる。
【００１４】
本発明の他の例示的側面としての収納ケースは、略円柱形状のケース体と少なくとも一
方の底面部に形成された凹部とを有し、かつ遊技盤面上で表現される所定遊技に関連して
遊技者が操作を行う操作ユニットに対して振動を加える加振源を収納するとともに操作ユ
ニットに取り付けられる収納ケースであって、ケース体の円柱側面部を保持して加振源の
底面部を含む平面に沿った方向の移動を規制する側面規制部と、ケース体の少なくとも前
記一方の底面部又は他方の底面部のいずれかを保持して加振源の底面部を含む平面に垂直
な方向の移動を規制する底面規制部と、加振源の凹部に係合して加振源の底面部を含む平
面内における回転移動を規制するための係合凸部と、を有することを特徴とする。
【００１５】
収納ケースが有する側面規制部及び底面規制部によってケース体の円柱側面部及び底面
部を保持するとともに係合凸部が加振源の凹部に係合するので、加振源を収納ケースに収
納するだけで、加振源に不要な応力を与えずに保持することができる。したがって、保持
により加振源が動作不良を生じたりその耐久性が低下したりすることがない。また、収納
ケースに加振源を収納するだけで確実に保持することができるので、加振源が自身の振動
で移動してしまうことがなく、加振源の配線が捩れたり絡まったりして断線してしまうこ
ともない。加振源の製造時にケース体の底面に形成されたカシメ痕を凹部として利用すれ
ば、わざわざ係合凸部と係合するための凹部を設ける必要もなく、低コストかつ簡易に加
振源の保持が可能となる。収納ケースに収納するだけで上記効果を得られるので、加振源
の組立効率も向上する。
【００１６】
その側面規制部が、略正方形断面の内壁を有してもよい。加振源の円柱側面部を略正方
形断面の内壁によって保持するので、４面で加振源の側面部を保持することができ、保持
が確実となる。又、収納ケースの内壁を略正方形断面としているので、収納ケースの製造
が容易となり、製造コストの低減にも寄与することができる。
【００１７】
本発明のさらに他の例示的側面としての演出ボタンユニットは、遊技盤面上で表現され
る所定遊技に演出を加えるために、遊技機に取り付けられて遊技者が操作する演出ボタン
と、演出ボタンの遊技機への取付状態において不可視となる位置に取り付けられ、略円柱
形状のケース体と少なくとも一方の底面部に形成された凹部とを有するとともに演出ボタ
ンを加振する加振源と、ケース体の円柱側面部を保持して加振源の底面部を含む平面に沿
った方向の移動を規制する側面規制部、ケース体の少なくとも前記一方の底面部又は他方
の底面部のいずれかを保持して加振源の底面部を含む平面に垂直な方向の移動を規制する
底面規制部、及び、加振源の凹部に係合して加振源の底面部を含む平面内における回転移
動を規制するための係合凸部を有する収納ケースと、を有することを特徴とする。
【００１８】
演出ボタンユニットが、側面規制部、底面規制部、係合凸部を有して加振源を収納する
収納ケースを有しているので、不要な応力を与えずに加振源を保持することができ、保持
により加振源が動作不良を生じたりその耐久性が低下したりすることがない。また、確実
に加振源を保持することができるので、加振源が自身の振動で移動してしまうことがなく
、加振源の配線が捩れたり絡まったりして断線してしまうこともない。結果として、動作
不良や故障が少なく、かつ耐久性の高い、高信頼性の演出ボタンユニットとすることがで
きる。
【００１９】
加振源の製造時にケース体の底面に形成されたカシメ痕を凹部として利用すれば、わざ
わざ係合凸部と係合するための凹部を設ける必要もなく、低コストかつ簡易に加振源の保
持が可能となる。収納ケースに加振源を収納するだけでこれらの効果を得られるので、演
出ボタンユニットの組立効率も向上する。
【００２０】
本発明のさらに他の例示的側面としての遊技機は、筐体に取り付けられる機枠と、機枠
内に構成され、遊技者に対して所定遊技を表現する遊技盤面と、遊技盤面の周囲を装飾し
、遊技盤面を遊技者にとって視認可能とするとともに遊技者の遊技盤面への侵入を防止す
る装飾枠体と、有価価値を有する遊技媒体を所定遊技に基づいて払い出す機構盤と、払い
出された遊技媒体を貯留する貯留皿と、上記の加振源を収納する収納ケースが取り付けら
れてかつ遊技盤面上で表現される所定遊技に関連して遊技者が操作を行う操作ユニットと
、を有することを特徴とする。
【００２１】
遊技機が、加振源を収納する収納ケースが取り付けられた操作ユニットを有し、その収
納ケースが側面規制部、底面規制部、係合凸部を有して加振源を収納するので、不要な応
力を与えずに加振源を保持することができ、保持により加振源が動作不良を生じたりその
耐久性が低下したりすることがない。また、確実に加振源を保持することができるので、
加振源が自身の振動で移動してしまうことがなく、加振源の配線が捩れたり絡まったりし
て断線してしまうこともない。結果として、動作不良や故障が少なく、かつ耐久性の高い
、高信頼性の操作ユニットとすることができ、ひいては遊技機の信頼性を向上させること
となる。
【００２２】
加振源の製造時にケース体の底面に形成されたカシメ痕を凹部として利用すれば、わざ
わざ係合凸部と係合するための凹部を設ける必要もなく、低コストかつ簡易に加振源の保
持が可能となる。収納ケースに加振源を収納するだけでこれらの効果を得られるので、操
作ユニットの組立効率も向上する。
【００２３】
本発明の更なる目的又はその他の特徴は、以下添付図面を参照して説明される好ましい
実施例によって明らかにされるであろう。
【発明の効果】
【００２４】
本発明によれば、略円柱形状の加振源が有する凹部を利用することにより、加振源に不
要な応力を与えることなくかつ簡単な構造で加振源を確実に保持固定することができるの
で、加振源の動作不良・故障・耐久性低下・断線等の問題を排除して信頼性を向上させ、
かつその加振源を適用した操作ユニットや遊技機のコスト低減や組立性向上に寄与するこ
とが可能となる。
【発明を実施するための最良の形態】
【００２５】
以下、本発明の実施の形態について図面を用いて説明する。図１は、本発明の実施の形
態に係る演出ボタンユニットを有する遊技機の外観斜視図である。本実施の形態において
は、遊技機としてパチンコ機（組合せ式パチンコ機、封入循環式パチンコ機等を含む）を
例として説明するが、もちろん遊技機としてはパチンコ機に限定されず、パチスロ機、ス
ロットマシンを含むスロット機、テレビゲーム機、ゲームセンター等に設置される様々な
アーケードマシンが考えられる。
【００２６】
パチンコ機２は、機枠４、遊技盤面６、装飾枠体７、機構盤（図示せず）、貯留皿３２
、操作部３４を有して大略構成される。機枠４はパチンコ機２全体を包含する筐体（木製
の筐体枠３）に取り付けられ、その内側に遊技盤面６が配置される。
【００２７】
遊技盤面６は、機枠４内に構成され、遊技者に対して所定遊技を表現するためのもので
ある。すなわち、遊技盤面６内には多数の障害釘６ａ、入賞口６ｂ、通過口６ｃ、変動入
賞装置６ｄ、可変表示装置６ｅ、アウト口６ｆ等が配置され、遊技者の操作によって発射
レール（図示せず）から案内レール（図示せず）に沿って打ち出された遊技媒体としての
パチンコ球（以下、単に球という。）が遊技盤面上を流下する。
【００２８】
球は多数の障害釘６ａにぶつかりながらその流下方向を変えつつ遊技盤面６上を流下す
る。そして、あるものは入賞口６ｂに入賞して景品球払出の起因となり、あるものは通過
口６ｃを通過して可変表示装置６ｅによる図柄変動ゲーム開始の起因となり、あるものは
いずれにも入賞せずにアウト口６ｆへと至るようになっている。可変表示装置６ｅによる
図柄変動ゲームが、予め定められた特定図柄の表示により停止した場合、変動入賞装置６
ｄが球を受け入れ易い状態へと変化する。そして、球が変動入賞装置６ｄに入賞するたび
に所定の景品球払出が行われ、遊技者は多量の景品球を獲得することができるようになっ
ている。このように遊技盤面６では遊技者に対して所定遊技が表現されるが、その遊技の
構成は遊技盤面６の種類ごとに様々あり、また公知であるので詳細については省略する。
【００２９】
装飾枠体７は、遊技盤面６の周囲を装飾するため装飾枠８と装飾枠８に組み付けられた
ガラス枠ユニット１０とを有して構成される（図２参照）。装飾枠８の表面には意匠が施
され、遊技を演出するためのランプ８ａが取り付けられている。これらの意匠やランプ８
ａ及びパチンコ機２内部に設けられたスピーカ（図示せず）からの効果音により、遊技が
効果的に演出されるようになっている。さらに、装飾枠８の中央部にはガラス枠ユニット
１０を組み付けたときにそのガラス１１が臨む透視孔８ｂがあけられており、そこから遊
技者が遊技盤面６を視認できるようになっている。
【００３０】
装飾枠８は、遊技者から見て左辺８ｃ側に支軸部８ｄを有し、その支軸部８ｄによって
機枠４及び遊技盤面６に対して開閉可能に軸支されている。そしてその内面側、すなわち
遊技盤面６に対向する面側にガラス枠ユニット１０が取り付けられている。
【００３１】
ガラス枠ユニット１０は、ガラス１１の外周を保持枠１２が囲むように保持して構成さ
れ、装飾枠８の内面側にガラス１１が透視孔８ｂに臨むように組み付けられている。ガラ
ス１１は、遊技者の遊技盤面６に対する視認性確保・遊技者による遊技盤面６への不正侵
入防止・遊技盤面６上を流下する球のパチンコ機２外への落下防止等の機能を有している
。これらの機能を発揮するため、ガラス１１は２枚構成とされ、その内の１枚が強化ガラ
スとされている。
【００３２】
機構盤は、遊技盤面６の裏側（遊技者から見て奥側）に配置される。この機構盤は景品
球（有価価値を有する遊技媒体）を払い出す機能を有しており、入賞球処理機構、球払出
機構、遊技制御装置、払出制御装置、各種球流路等（いずれも図示せず）を有しているが
、詳細については説明を省略する。
【００３３】
貯留皿３２は、機構盤の球払出機構によって払い出された景品球を貯留するためのもの
である。本実施の形態においては、貯留皿３２は、球払出機構によって払い出された景品
球を貯留するとともに球を遊技盤面６上に弾球する弾球装置へと連通する上皿３２ａと、
上皿満杯時に球払出機構によって払い出された景品球を貯留するとともに上皿から排出さ
れた球を受け入れる下皿３２ｂとを有している。
【００３４】
操作部３４は、所定遊技に関連して各種操作を行うためのものである。本実施の形態に
おいて操作部３４は、球の発射操作及び発射強度の調整を行うための発射ハンドル１４、
球貸し操作を行うための球貸しボタン１６、球貸し用カードの返却操作を行うためのカー
ド返却ボタン１８、上皿３２ａ内の球を下皿３２ｂに排出する上皿球抜きレバー２０、下
皿３２ｂ内の球をドル箱に排出する下皿球抜きレバー２２、演出ボタン２４を含んでいる
。
【００３５】
演出ボタン２４は、遊技盤面６上で表現される遊技内容に演出を加えるためのものであ
る。本実施の形態においては、可変表示装置６ｅでリーチ図柄が表示された場合において
、所定時間内に演出ボタン２４を連打した回数が所定回数以上となると特別遊技状態（大
当たり状態）となるように設定されている。また、連打回数が所定回数に満たず、大当た
りにならなかった場合に、演出ボタン２４が一定時間振動するように設定されている。演
出内容としてはその他にも種々考えられ、例えば、演出ボタン２４を押して遊技盤面６上
の役物（図示せず）を動作させると入賞口６ｂへの球の入賞が容易となるように設定され
ていてもよい。
【００３６】
図３は、この演出ボタン２４を有して構成される演出ボタンユニット（操作ユニット）
２７を側面から一部断面として見た側面図である。演出ボタンユニット２７は、演出ボタ
ン２４、加振源としての振動モータ２５、及びその振動モータを収納する収納ケース２６
を有して構成されている。
【００３７】
図４は、振動モータ２５及び収納ケース２６の概略構成を示す演出ボタンユニットの分
解斜視図である。振動モータ２５は演出ボタン２４を加振するためのものであり、略円柱
形状のケース体２５ａと偏心軸２５ｂとを有している。ケース体２５ａは、円柱側面部２
５ｄ、及び上下２つの底面部２５ｅ，２５ｆを有して構成される。偏心軸２５ｂの軸方向
はケース体２５ａの円柱軸方向と一致し、偏心軸２５ｂの回転によって振動が発生するよ
うになっている。振動モータの配線２５ｃは、演出ボタンユニット２７とパチンコ機２の
本体側とを接続するために演出ボタンユニット２７に配置されたユニット基板２８に接続
されており、パチンコ機２の本体側からの指令に基づき振動モータ２５が回転駆動される
ようになっている。このユニット基板２８には、演出ボタン２４のスイッチ２４ｂからの
スイッチ配線（図示せず）も接続され、スイッチ２４ｂが押されたか否かがパチンコ機２
側へ通信されるようになっている。
【００３８】
収納ケース２６は、全体として直方体形状をしており、内部に振動モータ２５を収納す
るための略直方体形状の収納室２６ａが形成されている。収納室２６ａの４つの内部側壁
（内壁）２６ｂは、振動モータ２５の円柱側面部２５ｄを保持する側面規制部として機能
する。そして、振動モータ２５が底面部２５ｆを含む平面Ｐに沿った方向（図中ＸＹ方向
）に移動してしまうのを規制する。４つの内部側壁は、平面Ｐに平行な切断面において略
正方形断面形状を呈する。また、収納室２６ａの内部底壁２６ｃは振動モータ２５の底面
部２５ｆを保持する底面規制部として機能する。そして、振動モータ２５が平面Ｐに垂直
な方向（図中Ｚ方向）に移動してしまうのを規制する。
【００３９】
内部底壁２６ｃには、係合凸部２６ｄが設けられている。この係合凸部２６ｄは、振動
モータ２５の底面部２５ｆに形成されたカシメ痕（凹部）２５ｇに係合して振動モータ２
５が平面Ｐ内での回転方向（θ方向）に回転移動してしまうのを規制する機能を有する。
カシメ痕２５ｇを利用するので、振動モータ２５のθ方向の回転移動規制のためにわざわ
ざ別途部品を設けたり加工したりする必要がない。しかし、もちろんカシメ痕２５ｇが形
成されていない場合は、別途加工等により凹部を形成してももちろんよい。
【００４０】
収納ケース２６は、これら内部側壁２６ｂ、内部底壁２６ｃ、係合凹部２６ｄにより振
動モータ２５のＸＹＺθ各方向の移動を規制し、簡単かつ確実に振動モータ２５を保持す
ることができるようになっている。収納ケース２６は、収納室２６ａに振動モータ２５を
収納して、ネジ２９により演出ボタン２４の裏面２４ａ側に取り付けられる。それにより
演出ボタン２４の裏面２４ａが振動モータ２５の底面部２５ｅを保持するようになってい
る。演出ボタンユニット２７をパチンコ機２に取り付けた状態では、振動モータ２５及び
収納ケース２６は、遊技者からは見えないようになっている。
【００４１】
なお、この実施の形態においては、係合凸部２６ｄが収納ケース２６の内部底壁２６ｃ
に設けられているが、もちろん振動モータ２５の底面部２５ｅ側にカシメ痕２５ｇが形成
されている場合は、係合凸部２６ｄも対応して演出ボタン２４側に設けてもよい。その際
、係合凹部２６ｄの高さ寸法、すなわち係合凹部２６ｄとカシメ痕２５ｇとの係合深さ寸
法は、収納室２６ａの内部底壁２６ｃと振動モータ２５の底面部２５ｆとによって構成さ
れる最大のガタ寸法よりも大きな寸法とされる。
【００４２】
また、この実施の形態においては、操作ユニットとしての演出ボタンユニット２７に振
動モータ２５を取り付けて加振しているが、もちろん演出内容に応じて他の操作部（例え
ば、発射ハンドル１４、球貸しボタン１６、カード返却ボタン１８、上皿球抜きレバー２
０、下皿球抜きレバー２２等）を有する各操作ユニットに振動モータ２５を取り付けて加
振してもよい。また、振動モータ２５を操作ユニット側でなくパチンコ機２の本体側に取
り付けて各操作ユニットを加振することももちろん可能である。また、加振源としては、
振動モータ２５の他に、例えばソレノイドやピエゾ等を用いることも考えられる。
【００４３】
以上、本発明の好ましい実施の形態を説明したが、本発明はこれらに限定されるもので
はなく、その要旨の範囲内で様々な変形や変更が可能である。
【図面の簡単な説明】
【００４４】
【図１】本発明の実施の形態に係る演出ボタンユニットを有するパチンコ機の外観斜視図である。
【図２】図１に示すパチンコ機の装飾枠体を開いた状態を示す外観斜視図である。
【図３】図１に示すパチンコ機に用いられる演出ボタンユニットを側面から一部断面として見た側面図である。
【図４】振動モータ及び収納ケースの概略構成を示す演出ボタンユニットの分解斜視図である。
【符号の説明】
【００４５】
Ｐ：平面
２：パチンコ機
４：機枠
６：遊技盤面
７：装飾枠体
２４：演出ボタン
２５：振動モータ（加振源）
２５ａ：ケース体
２５ｂ：偏心軸
２５ｄ：円柱側面部
２５ｅ，２５ｆ：底面部
２５ｇ：カシメ痕（凹部）
２６：収納ケース
２６ａ：収納室
２６ｂ：内部側壁（側面規制部、内壁）
２６ｃ：内部底壁（底面規制部）
２６ｄ：係合凸部
２７：演出ボタンユニット（操作ユニット）
【図１】
2007075331.tif 000003
【図２】
2007075331.tif 000004
【図３】
2007075331.tif 000005
【図４】
2007075331.tif 000006